(57)【要約】【課題】購入物品情報を購入者が迅速に取得することができ、また、その購入物品情報の入力漏れがない購入物品情報の書き込み装置、購入物品情報の管理装置および購入物品情報の送信装置を提供することを目的とするものである。【解決手段】所定の購入者が購入する物品に関する購入物品情報を取得する購入物品情報取得手段と、上記所定の購入者に関する購入物品情報を、上記所定の購入者が所有する記録媒体に書き込む物品情報書き込み手段とを有する購入物品情報の書き込み装置である。【選択図】　図１
2004054764.tif 000002
【特許請求の範囲】
【請求項１】
所定の購入者が購入する物品に関する購入物品情報を取得する購入物品情報取得手段と；
上記所定の購入者に関する購入物品情報を、上記所定の購入者が所有する記録媒体に書き込む物品情報書き込み手段と；
を有することを特徴とする購入物品情報の書き込み装置。
【請求項２】
所定の購入者が購入した物品に関する購入物品情報が書き込まれている記録媒体から、購入物品情報を読み取る購入物品情報読取手段と；
上記読み取られた購入物品情報に基づいて、上記購入する物品の品名、数量、消費期限、価格、消費間隔、在庫のうちの少なくとも１つを整理し、管理する購入物品情報の管理手段と；
上記読み取られた購入物品情報を表示する表示手段と；
を有することを特徴とする購入物品情報の管理装置。
【請求項３】
所定の購入者が購入した物品に関する購入物品情報が書き込まれている記録媒体から、購入物品情報を読み取る購入物品情報読取手段と；
上記読み取られた購入物品情報に基づいて、上記購入する物品の品名、数量、消費期限、価格、消費間隔、在庫のうちの少なくとも１つを整理し、管理する購入物品情報の管理手段と；
上記読み取られた購入物品情報を、所定のネットワークを介して、所定の端末機器に送信する購入物品情報送信手段と；
を有することを特徴とする購入物品情報の管理装置。
【請求項４】
所定の購入者が購入する物品に関する購入物品情報を取得する購入物品情報取得手段と；
上記所定の購入者に関する送信先を取得する送信先取得手段と；
上記所定の購入者に関する購入物品情報を、上記送信先取得手段が取得した送信先に送信する購入物品情報送信手段と；
を有することを特徴とする購入物品情報の送信装置。
【請求項５】
所定の購入者が購入した物品に関する購入物品情報を受信する購入物品情報受信手段と；
上記受信した購入物品情報に基づいて、上記購入する物品の品名、数量、消費期限、価格、消費間隔、在庫のうちの少なくとも１つを整理し、管理する購入物品情報の管理手段と；
上記受信した購入物品情報を表示する表示手段と；
を有することを特徴とする購入物品情報の管理装置。
【請求項６】
請求項２、請求項３または請求項５において、
所定の購入者が購入した物品に関する購入物品情報が書き込まれている記録媒体から、購入物品情報を読み取る購入物品情報読取手段と；
上記読み取られた購入物品情報に基づいて、購入分の総購入費用、予算残高のうちの少なくとも一方を管理する財務管理手段と；
を有することを特徴とする購入物品情報の管理装置。
【発明の詳細な説明】
【０００１】
【発明の属する技術分野】
本発明は、購入物品情報の書き込み装置、購入物品情報の管理装置および購入物品情報の送信装置に関する。
【０００２】
【従来の技術】
食料品等の購入する物品を管理する場合、従来は、購入者が、紙に自分で記入したり、ＰＣ（パーソナルコンピュータ）を用いて記録する等、購入者の手作業で実行されている。
【０００３】
【発明が解決しようとする課題】
したがって、上記従来例において、購入者は、物品管理を行う場合、データ入力作業に多くの時間を費やす必要がある。
【０００４】
また、上記従来例において、購入者が管理している情報は、家庭等に置かれていることが多く、店舗等で実際に物品を購入する際に、過去に購入する物品の情報を、参照することは不可能である。
【０００５】
つまり、上記従来例では、購入者が購入物品を入力するために長い時間を必要とするという問題があり、また、その購入物品の入力の際に、入力の漏れがあるという問題がある。
【０００６】
本発明は、購入物品情報を購入者が迅速に取得することができ、また、その購入物品情報の入力漏れがない購入物品情報の書き込み装置、購入物品情報の管理装置および購入物品情報の送信装置を提供することを目的とするものである。
【０００７】
【課題を解決するための手段】
本発明は、所定の購入者が購入する物品に関する購入物品情報を取得する購入物品情報取得手段と、上記所定の購入者に関する購入物品情報を、上記所定の購入者が所有する記録媒体に書き込む物品情報書き込み手段とを有する購入物品情報の書き込み装置である。
【０００８】
【発明の実施の形態および実施例】
図１は、本発明の第１実施例である購入物品情報の管理システム１０を示すシステム構成図である。
【０００９】
上記実施例を含めて以下の実施例では、スーパーのような小売店において、購入者（ユーザ）が商品を購入したときに、この購入した商品を管理する場合を想定している。
【００１０】
購入物品情報の管理システム１０は、購入物品情報の書き込み装置Ｗ１と、購入物品情報の管理装置Ｍ１とを有する。
【００１１】
購入物品情報の書き込み装置Ｗ１は、店舗等に設置され、バーコードリーダ１１と、物品情報書き込み部１２とを有する。
【００１２】
バーコードリーダ１１は、所定の購入者が購入する物品Ｇに関する購入物品情報を取得する購入物品情報取得手段の例であり、購入物品Ｇの品名、数量、消費期限、価格等の購入物品情報を取得する手段である。なお、実際には、バーコードリーダのみではなく、店舗の在庫発注管理に従来使用されているＰＯＳシステムによって、上記購入物品情報取得手段が構成されている。
【００１３】
物品情報書き込み部１２は、所定の購入者に関する購入物品情報を、上記所定の購入者が所有するＩＣカード１３に書き込む物品情報書き込み手段の例であり、いわゆるＩＣカードライタである。
【００１４】
ＩＣカード１３の代わりに、ＦＤ、ＭＤ、半導体メモリ等、携帯可能な記録媒体を使用するようにしてもよい。
【００１５】
購入物品情報の管理装置Ｍ１は、家庭等に設置され、物品情報読取部１４と、物品情報記憶部１５と、購入物品情報の管理部１６と、送受信部１７と、表示部１９とを有する。
【００１６】
物品情報読取部１４は、ＩＣカード１３に書き込まれている物品情報を読み取るリーダである。
【００１７】
物品情報記憶部１５は、物品情報読み取り部１４が読み取った物品情報を記憶するものである。
【００１８】
購入物品情報の管理部１６は、読み取られた購入物品情報に基づいて、上記購入する物品の品名、数量、消費期限、価格、消費間隔、在庫のうちの少なくとも１つを整理し、管理する購入物品情報の管理手段の例であり、購入物品情報を、消費期限別、ジャンル別、購入期間別等に、購入物品情報を整理し、管理する。
【００１９】
送受信部１７は、読み取られた購入物品情報を、所定のネットワークＮＷを介して、所定の端末機器に送信する購入物品情報送信手段の例である。なお、上記所定の端末機器の一例が携帯電話１８である。
【００２０】
表示部１９は、読み取られた購入物品情報を表示する表示手段の例である。
【００２１】
次に、購入物品情報の管理システム１０の動作について説明する。
【００２２】
図２は、購入物品情報の管理システム１０における動作を示すフローチャートである。
【００２３】
まず、購入者が店舗等において物品Ｇを購入する場合、この購入する物品Ｇに付与されているバーコードを、バーコードリーダ１１が読み取る（Ｓ１）。バーコードリーダ１１が読み取った物品購入情報を、店舗等のＰＯＳシステムから、購入者のＩＣカード１３に記憶する（Ｓ２）。
【００２４】
このＩＣカード１３は、物品情報を伝達することを目的とする専用のＩＣカードだけでなく、店舗固有の購入者向けポイントカードや、全国向けのクレジットカード等の機能と併用して持たせるようにしてもよい。
【００２５】
購入者は、購入物品情報が記憶されているＩＣカード１３を、自宅に持ち帰り、自宅に設置されている購入物品情報の管理装置Ｍ１内の物品情報読み取り部１４に、ＩＣカード１３を読み取らせ、この読み取った購入物品情報を、物品情報記憶部１５に記憶する（Ｓ３）。
【００２６】
なお、購入物品情報の管理装置Ｍ１を設置しておく場所は、会社、組合、諸団体施設、学校等、設置場所を問わない。
【００２７】
購入物品情報の管理部１６は、購入者を含めたユーザが行う情報表示リクエストに対して、購入物品情報を管理し、消費期限別、ジャンル別、購入期間別等の購入物品情報を、表示部１９に表示し（Ｓ４）、この表示を購入者が見ることができる。
【００２８】
表示部１９は、ＰＣモニタ、ＴＶモニタ等の家庭内表示機がその例である。
【００２９】
なお、表示部１９に購入物品情報を表示する代わりに、通信網ＮＷを介して、携帯電話１８に表示するようにしてもよい。また、この場合、携帯電話１９の代わりに、ＰＤＡ、ノートＰＣに表示させるようにしてもよい。
【００３０】
購入者以外の人も、上記実施例におけるユーザになる可能性があるので、購入者以外の人も上記表示を見ることができる。この際、購入者の意図しない人に情報を見せないようにするために、購入物品情報を表示部１９で表示するときに、パスワード等を用いた購入者認証を行い、この購入者認証ができた人に、購入物品情報の表示を行うようにすることが好ましい。
【００３１】
なお、上記説明では、店舗で物品Ｇを購入する場合であるが、宅配等のサービスにおいて、宅配業者が、バーコードリーダ１１を宅配時に持参し、ＩＣカード１３に、購入物品情報を記録するようにしてもよい。つまり、本願明細書において、「物品」は、通常の物品以外に、商行為におけるサービスを含む概念であるとする。
【００３２】
図３は、本発明の第２実施例である購入物品情報管理システム２０を示すブロック図である。
【００３３】
なお、以下の説明において、同一の構成には、同一の符号を付し、その説明を省略する。
【００３４】
購入物品情報管理システム２０は、購入物品情報の送信装置Ｒ１と、購入物品情報の管理装置Ｍ２とを有する。
【００３５】
購入物品情報の送信装置Ｒ１は、バーコードリーダ１１ａと、送信部２１とを有する。
【００３６】
バーコードリーダ１１ａは、購入物品Ｇ２付与されているバーコードから、購入物品情報を読取り、また、店舗固有の購入者向けポイントカード等、送信先記載カード２３に記憶されている送信先データを読み取る。
【００３７】
購入物品情報の管理装置Ｍ２は、購入物品情報の管理装置Ｍ１において、物品情報読取り部１４の代わりに、受信部２２を設けたものである。
【００３８】
受信部２２は、送信部２１から購入物品情報を受信するものである。
【００３９】
送信部２１と受信部２２との間は、有線を使用してもよく、無線を使用してもよく、また、ネットワークを介在させるようにしてもよい。
【００４０】
つまり、バーコードリーダ１１は、所定の購入者が購入する物品に関する購入物品情報を取得する購入物品情報取得手段の例であり、また、上記所定の購入者に関する送信先を取得する送信先取得手段の例である。
【００４１】
また、送信部２１は、所定の購入者に関する購入物品情報を、上記送信先取得手段が取得した送信先に送信する購入物品情報送信手段の例である。
【００４２】
受信部２２は、所定の購入者が購入する物品Ｇに関する購入物品情報を受信する購入物品情報受信手段の例であり、購入物品情報の管理部１６は、受信した購入物品情報に基づいて、上記購入する物品Ｇの品名、数量、消費期限、価格、消費間隔、在庫のうちの少なくとも１つを整理し、管理する購入物品情報の管理手段の例である。
【００４３】
次に、購入物品情報の管理システム２０の動作について説明する。
【００４４】
図４は、購入物品情報管理システム２０における動作を示すフローチャートである。
【００４５】
まず、購入者が店舗等において物品Ｇを購入する場合、この購入する物品Ｇに付与されているバーコードを、バーコードリーダ１１が読み取る（Ｓ１）。また、送信先が記載されている送信先記載カード２３（店舗固有の購入者向けポイントカード等）を読取り、送信先を特定する（Ｓ１１）。
【００４６】
そして、レジに設けられているバーコードリーダ１１を含むＰＯＳシステムから、上記特定された送信先に、購入物品情報を通信網ＮＷ経由で送信する（Ｓ１２）。つまり、送信部２１、ネットワーク、受信部２２を経由して、購入物品情報を送信する。
【００４７】
送信先である購入物品情報の管理装置Ｍ２を特定するために、決済時に、店舗固有の購入者向けポイントカードから送信先を読み取ってもよく、また、送信先情報を持つクレジットカード等のＩＣカード類から、送信先を読取ってもよい。
【００４８】
そして、受信部２２は、通信網ＮＷから、購入物品情報を受信し、記憶部１５に記憶する（Ｓ１３）。
【００４９】
その後に、購入者を含むユーザのリクエストに応じて、分類された購入物品情報が、表示部１９に表示される（Ｓ４）。または、送受信部１７、通信網ＮＷを介して、携帯電話１８のモニタに、上記購入物品情報が表示される（Ｓ４）。
【００５０】
なお、上記実施例において、購入物品情報をバーコードリーダ１１で読み取った後に、読み取った購入物品情報を、店舗に設置されているメモリに記憶し、別の購入者が購入する購入物品情報をも、上記メモリに記憶し、複数の購入者の購入物品情報を一括して、送信するようにしてもよい。この場合、送信先は、購入者毎に異なる。
【００５１】
また、上記実施例において、同一の購入者が、午前中に１回、午後に２回等のように、同日に複数回、買い物をした場合、１日分の購入物品情報を一括して、送信するようにしてもよい。また、同一の購入者に関する購入物品情報を、１週間毎、１０日毎のように、所定期間分を一括して、送信するようにしてもよい。
【００５２】
図５は、本発明の第３実施例である購入物品情報管理システム３０を示すブロック図である。
【００５３】
購入物品情報管理システム３０は、購入物品情報の書き込み装置Ｗ１と、購入物品情報の管理装置Ｍ３とを有するシステムであり、購入物品情報管理システム１０、２０において、財務管理部３１を有するシステムである。
【００５４】
財務管理部３１は、購入物品Ｇの購入額、１つの店舗を１回利用した場合における購入額、月平均利用額、予算残高等、家計簿で計算される計算処理を行うものである。
【００５５】
つまり、財務管理部３１は、読み取られた購入物品情報に基づいて、購入分の総購入費用、予算残高のうちの少なくとも一方を管理する財務管理手段の例である。
【００５６】
次に、購入物品情報管理システム３０の動作について説明する。
【００５７】
図６は、購入物品情報管理システム３０の動作を示すフローチャートである。
【００５８】
まず、購入者が店舗等において物品Ｇを購入する場合、この購入する物品Ｇに付与されているバーコードを、バーコードリーダ１１が読み取る（Ｓ１）。そして、バーコードリーダ１１が読み取った物品購入情報を、店舗等のＰＯＳシステムから、購入者のＩＣカード１３に記憶する（Ｓ２）。
【００５９】
購入者は、ＩＣカード１３を自宅に持ち帰り、自宅に設置されている購入物品情報の管理装置Ｍ３内の物品情報読み取り部１４にＩＣカード１３を読み取らせ、この読み取った購入物品情報を、物品情報記憶部１５に記憶する（Ｓ３）。
【００６０】
購入者のリクエストに応じ、購入物品Ｇの購入額、１回当たりの購入額、月平均利用額、予算残高等を、財務管理部３１が計算し、この計算された購入物品情報を、表示部１９に表示し（Ｓ２１）、購入者がこの表示されている購入物品情報を見ることができる。
【００６１】
図７は、上記各実施例において、購入物品情報を、表示部１９の画面に表示している例を示す図である。
【００６２】
購入物品情報として、「品名」、「数量」、「消費期限」、「価格」を表示しているが、各列に対して、図示しない詳細ボタンを押したときに、「生産地」、「生産者」、「加工会社」、「原材料」、「販売会社」、「安全基準準拠表示」等の各種の詳細情報を、別ページで表示するようにしてもよい。
【００６３】
上記実施例によれば、従来、購入者が物品Ｇを購入した後に、キーボード等を使用して、１つ１つ、手入力していた購入物品情報を、店舗側から容易に入手できるので、購入物品情報の入力の手間を省くことができ、しかも、多くの情報を取得することができる。また、購入時に、レジ等、店舗側から購入物品情報を取得できるので、購入物品情報の取得漏れを未然に防ぐことができる。
【００６４】
一方、店舗としても、ＰＯＳ等の受発注装置と一体として提供することが可能であり、少ない設備投資で、購入物品情報を購入者によりよい形で提供することができる。
【００６５】
また、購入物品情報を提供する形態として、購入者囲い込みのためのポイントカードと連動させることができ、これによって、ポイント情報や購入物品情報を店舗側でも、購入者毎にスムーズに管理することができる。
【００６６】
【発明の効果】
本発明によれば、購入者が購入物品管理のために最も時間をかけ、また最も気を使っていた情報入力における入力の漏れがなく、また、購入物品情報を購入者が迅速に取得することができるという効果を奏する。
【図面の簡単な説明】
【図１】本発明の第１実施例である購入物品情報の管理システム１０を示すシステム構成図である。
【図２】購入物品情報の管理システム１０における動作を示すフローチャートである。
【図３】本発明の第２実施例である購入物品情報管理システム２０を示すブロック図である。
【図４】購入物品情報管理システム２０における動作を示すフローチャートである。
【図５】本発明の第３実施例である購入物品情報管理システム３０を示すブロック図である。
【図６】購入物品情報管理システム３０の動作を示すフローチャートである。
【図７】上記各実施例において、購入物品情報を、表示部１９の画面に表示している例を示す図である。
【符号の説明】
１０、２０、３０…購入物品情報の管理システム、
１１、１１ａ…バーコードリーダ、
１２…物品情報書き込み部、
１３…ＩＣカード、
１４…物品情報読取り部、
１５…物品情報記憶部、
１６…購入物品情報の管理部、
１７…送受信部、
１８…携帯電話、
１９…表示部、
２１…送信部、
２２…受信部、
２３…送信先記載カード、
３１…財務管理部、
Ｗ１…購入物品情報の書き込み部、
Ｒ１…購入物品情報の送信装置、
Ｍ１、Ｍ２、Ｍ３…購入物品情報の管理装置。
【図１】
2004054764.tif 000003
【図２】
2004054764.tif 000004
【図３】
2004054764.tif 000005
【図４】
2004054764.tif 000006
【図５】
2004054764.tif 000007
【図６】
2004054764.tif 000008
【図７】
2004054764.tif 000009